(57)【要約】  【課題】  空気通路におけるエネルギー損失が少なく、施工の進捗に応じて変化する施工現場の状況に左右されず、また施工現場における微調整などの煩雑な作業を要しない、エアーカーテンを形成可能な集塵機を提供する。  【解決手段】  吸気口２から排気口６までの空気通路が実質的にほぼ直線状に形成されると共にトンネル２０の軸方向にほぼ平行に配置され、空気通路に集塵装置とファンとを備え、排気口から排出される空気がほぼ直角に板体７に衝突して放射状にほぼ全方向へ吹き出されるように、板体が排気口から所定長離れて固定される。【選択図】  図１
2005282169.tif 000002
【特許請求の範囲】
【請求項１】
トンネル内に配置される集塵機であって、吸気口から排気口までの空気通路が実質的にほぼ直線状に形成されると共にトンネル軸方向にほぼ平行に配置され、該空気通路に集塵装置とファンとを備え、前記排気口から排出される空気がほぼ直角に板体に衝突して放射状にほぼ全方向へ吹き出されるように、該板体が前記排気口から所定長離れて固定されたことを特徴とする集塵機。
【請求項２】
前記板体は、前記排気口から延びる軸状部材により固定されたものである請求項１に記載の集塵機。
【発明の詳細な説明】
【技術分野】
【０００１】
本発明は、トンネル内で発生した粉塵を処理すると共にエアーカーテンを形成可能な集塵機に関する。
【背景技術】
【０００２】
トンネル内で発生した粉塵を処理するために様々な集塵装置が提案されており、そのような集塵装置の一つとして、切羽側の吸引口から汚染空気を吸引し、粉塵を取り除いた空気を後方に吹き出すものがある。この後方に排出された空気は、或る程度の距離を真直ぐに流れると風速が弱まり、再び集塵装置の切羽側の吸引力により引き戻されて循環する。このように気流が循環することにより、集塵装置で捕集されなかった粉塵も後方に流出したままにならず、切羽側に還流して捕集されるため、空気の浄化度合いを高めることができる。以上のように気流の循環による効果は、エアカーテン効果と呼ばれている。
しかしながら、上記のような気流循環によるエアカーテンでは、気流循環の範囲が比較的大きくなり過ぎて、必ずしも全ての未捕集粉塵が還流するわけではないため、後方に流れ去り還流しない粉塵により汚染が拡大する可能性がある。
【０００３】
また上記の気流循環方式の他にも、例えば、特開昭６３−２６５１００号公報（特許文献１）では、吸気管から汚染空気を吸入し、清浄化された空気を送気管から排出する集塵機をトンネルの切羽付近に設置し、送気管の先端をトンネルの軸線と直角の方向に向け、送気をトンネルの壁面に吹き付け、その吹き付けた空気をトンネルの壁面に沿って循環させることにより、空気流のエアカーテンを形成している。
【０００４】
【特許文献１】特開昭６３−２６５１００号公報
【発明の開示】
【発明が解決しようとする課題】
【０００５】
特許文献１の集塵機によりエアカーテンを形成するためには、送気管からの吹付け角度を調整するだけではなく、吸気管と送気管の短絡防止の調整も行う必要があり、さらに、循環流を妨げる施工機械等を取り除いたりして、使用環境を整える必要がある。しかしながら、トンネルの切羽付近では、施工の進捗状況に応じて様々な設備や施工機械等が出入りしたり、また壁面状況も変化していくものであり、そのような施工現場で、機器やその使用環境を調整したりすることは非常に煩雑である。また特許文献１の集塵機では、吸気口と送気管先端とがトンネルのほぼ同じ断面位置に設けられ、空気通路が途中で１８０°折り返されて形成されているため、空気の流速が途中で低下し、トンネル壁面への吹き付け力が弱まる可能性もある。
【０００６】
本発明の課題は上記問題点を解決することであり、空気通路におけるエネルギー損失が少なく、施工の進捗に応じて変化する施工現場の状況にも左右されず、また施工現場における微調整などの煩雑な作業を要せず、比較的容易にエアーカーテンを形成することができる集塵機を提供することである。
【課題を解決するための手段】
【０００７】
本発明では、トンネル内に配置される集塵機であって、吸気口から排気口までの空気通路が実質的にほぼ直線状に形成されると共にトンネル軸方向にほぼ平行に配置され、該空気通路に集塵装置とファンとを備え、前記排気口から排出される空気がほぼ直角に板体に衝突して放射状にほぼ全方向へ吹き出されるように、該板体が前記排気口から所定長離れて固定されたことを特徴とする集塵機が提供される。
上記集塵機では、排気口から排出される空気が板体に衝突して放射状にほぼ全方向へ吹き出されるように、板体が排気口から所定長離れて固定されているため、排気口から吹き出された気流そのものにより直ぐにエアーカーテンが形成される。したがって、本願発明の集塵機では、特許文献１のようにトンネル壁面で排気を反射させて間接的に気流を形成する必要がないため、トンネル壁面の状態やその周辺の機械配置といった外的な要因に左右されること無く、しかも、施工現場における吹出し角度の微調整等の煩雑な作業も不要であり、比較的容易にエアーカーテンを形成することが可能である。また本願発明の集塵機では、吸気口から排気口までの空気通路が実質的にほぼ直線状に形成されており、空気通路におけるエネルギー損失を比較的小さく抑えることができ、さらに、排気口には、排気流を方向付けるための板体が設けられているだけであるため、良好なエネルギー効率によりエアーカーテンを形成することできる。
【０００８】
本願発明の集塵機において、前記板体は前記排気口から延びる軸状部材に接続することにより、排気口から所定長離隔して固定することができる。
【発明の効果】
【０００９】
本発明の集塵機によれば、空気通路におけるエネルギー損失を小さくできて、施工現場の進捗状況にも左右されず、また施工現場における微調整等の煩雑な作業を必要とせず、比較的容易にエアーカーテンを形成することができる。
【発明を実施するための最良の形態】
【００１０】
以下、実施例を参照して本発明について説明するが、本発明はこれに限定されるものではない。図１は本発明の集塵機１の側面図であり、図２は集塵機１を前方から見た図である。この集塵機１は、最上流側の開口として吸気口２を有し、この吸気口２の下流側に集塵フィルター又は電気集塵極等の集塵装置を収容した集塵装置収容部３が設けられ、この集塵装置収容部３の下流側にファン及びこのファンを駆動するための駆動機器を収容したファン駆動機器収容部４が設けられ、このファンと駆動機器の上下流両側にサイレンサー５が形成され、このサイレンサー５の最下流に開口すなわち排気口６が形成されている。これら吸気口２から排気口６までの空気通路は、空気流がほぼ直線状に流れるように形成されている。そして、排気口６には、板体７が所定長離隔して軸部材８により固定されており、この排気口６と板体７との隙間９から、排気が図２の矢印のように放射状にほぼ全方向へ吹き出される。なお、集塵機１は、移動自在なようにトラック等の車両１０の荷台に積載しても良く、図１のように、排気口６が車両１０の最前端１１よりも前方に突出するように固定するか、図示したものとは逆に設置して排気口が最後端よりも後方に突出するように固定する。
【００１１】
図３（ａ）は排気口６の周りを部分的に拡大した側面図であり、図３（ｂ）は（ａ）における切断線Ｂ−Ｂに沿った断面図である。
以下、排気口６の周りの構成について更に詳しく説明する。板体７は、軸部材８によりリング状部材１２と一体に接続されており、一方、排気口６にはリング状のフランジ部材１３が突設されており、これらリング状部材１２とフランジ部材１３とがボルト１４やナットにより連結される。板体７は、排気口６とほぼ同じ大きさか、あるいは排気口６よりも大きなものが使用され、排気口から排出される空気がほぼ直角に衝突するように、空気通路にほぼ直交する配置、かつ排気口６に対向する配置で固定される。
【００１２】
図４はトンネル２０内に配置した集塵機１の側面図であり、この図４では車両１０を省略して図示した。
集塵機１は、図４に示したように、切羽側の汚染空間２１に吸気口２を配置し、エアカーテン２２により清浄空間２３を形成する側に排気口６を配置し、吸気口２から排気口６までの空気通路がトンネル軸方向にほぼ平行になるように配置する。そして、駆動機器によりファンを稼動させると、汚染空間２１の空気が吸気口２から吸引され、内部の空気通路を通過して清浄な空気に変えられ、排気口６から排出される。この排出された清浄な空気は、板体７に衝突してトンネル軸方向とほぼ直交する方向へ、隙間９から放射状に噴き出される。この隙間９は排気口６よりも小さく形成されているため、ここで清浄空気の流速は上昇し、この清浄空気の強力な気流が方向付けされて、図４に示したようなエアカーテン２２を形成する。このエアカーテン２２により、汚染空間２１から清浄空間２３への空気の流れが止められるため、粉塵の浮遊は汚染空間２１に限定され、吸気口２から集塵機に効率良く吸引されて拡散が防止される。
【００１３】
以上のように、本発明の集塵機１によれば、排気口６から排出される清浄な空気が板体７に衝突して、トンネル軸方向とほぼ直交する全方向へ放射状に吹き出され、この噴出された空気流により直接的にエアーカーテンが形成されるので、トンネル壁面の状態や壁面周辺の機械配置といった外的な要因に左右されることが無く、しかも、施工現場における吹出し角度の微調整等の煩雑な作業も必要とせず、比較的容易にエアーカーテンを形成することができる。
【図面の簡単な説明】
【００１４】
【図１】本発明の集塵機の側面図である。
【図２】本発明の集塵機を前方から見た図である。
【図３】（ａ）は集塵機の排気口の周りを部分的に拡大した側面図であり、（ｂ）は（ａ）における切断線Ｂ−Ｂに沿った断面図である。
【図４】トンネル内に配置した本発明の集塵機の側面図である。
【符号の説明】
【００１５】
１  集塵機
２  吸気口
６  排気口
７  板体
８  軸部材
９  隙間
１０  車両
２０  トンネル
２２  エアカーテン
【図１】
2005282169.tif 000003
【図２】
2005282169.tif 000004
【図３】
2005282169.tif 000005
【図４】
2005282169.tif 000006